(57)【特許請求の範囲】
【請求項１】
音声を録音可能な録音機器であって、
音声を入力して電気信号に変換する第１収音部と、
前記第１収音部の収音軸と異なる方向に感度が高い収音軸を有し、音声を入力して電気信号に変換する第２収音部と、
前記第１収音部が入力した音声の音量および前記第２収音部が入力した音声の音量に基づいて、当該録音機器のユーザによる利用状況を判定する判定部と、
前記判定部の判定結果に基づいて、当該録音機器による音声入力のアドバイスを出力する出力部と、
当該録音機器の姿勢を検出する姿勢検出部と、
を備え、
前記判定部は、
前記第１収音部が入力した音声の音量、前記第２収音部が入力した音声の音量および前記姿勢検出部が検出した前記姿勢に基づいて、当該録音機器の利用状況を判定し、
前記出力部は、
前記アドバイスに対応する情報を表示する表示部と、
前記アドバイスに対応する音声を出力する音声出力部と、
を有することを特徴とする録音機器。
【請求項２】
前記表示部の表示領域に重畳して設けられ、外部からの物体の接触位置を検出し、この接触位置に応じた位置信号の入力を受け付けるタッチパネルをさらに備え、
前記判定部は、前記第１収音部が入力した音声の音量、前記第２収音部が入力した音声の音量、前記姿勢検出部が検出した前記姿勢および前記タッチパネルが入力を受け付けた前記位置信号に基づいて、当該録音機器の利用状況を判定することを特徴とする請求項１に記載の録音機器。
【請求項３】
前記判定部の判定結果に基づいて、前記アドバイスの出力内容を変更するガイド制御部をさらに備えたことを特徴とする請求項１または２に記載の録音機器。
【請求項４】
前記ガイド制御部は、
前記判定部によってユーザが前記第２収音部を利用して音声を入力していると判定された場合において、前記判定部によってユーザの利用状況が当該録音機器を電話式に把持している状況で利用していると判定されたとき、前記音声出力部に前記アドバイスを出力させる一方、
前記判定部によってユーザが前記第２収音部を利用して音声を入力していると判定された場合において、前記判定部によってユーザの利用状況が当該録音機器を電話式に把持して状況で利用していないと判定されたとき、前記表示部に前記アドバイスを表示させることを特徴とする請求項３に記載の録音機器。
【請求項５】
前記アドバイスは、少なくとも前記第１収音部による音声の入力を指示する旨の情報を含むことを特徴とする請求項１〜４のいずれか一つに記載の録音機器。
【請求項６】
前記アドバイスは、当該録音機器による音声の入力時の姿勢情報および前記第１収音部までの距離情報をさらに含むことを特徴とする請求項１〜５のいずれか一つに記載の録音機器。
【請求項７】
前記第１収音部が変換した電気信号に所定の処理を施すことによって音声データを生成する生成部と、
患者に関する患者情報を記録する記録部と、
前記記録部が記録する前記患者情報と前記生成部が生成した前記音声データとを関連付ける関連付け部と、
をさらに備え、
前記ガイド制御部は、外部から前記患者情報に関する所見の依頼を指示する情報を受信した場合、前記患者情報を前記表示部に表示させ、
前記関連付け部は、前記表示部が前記患者情報を表示している際に、前記生成部が生成した音声データと前記表示部が表示する前記患者情報とを関連付けて前記記録部に記録することを特徴とする請求項３に記載の録音機器。
【請求項８】
音声を入力して電気信号に変換する第１収音部と、前記第１収音部の収音軸と異なる方向に感度が高い収音軸を有し、音声を入力して電気信号に変換する第２収音部と、を備えた録音機器のアドバイス出力方法であって、
前記第１収音部が入力した音声の音量および前記第２収音部が入力した音声の音量に基づいて、当該録音機器のユーザによる利用状況を判定する判定ステップと、
前記判定ステップの判定結果に基づいて、当該録音機器による音声入力のアドバイスを出力する出力ステップと、
を含み、
前記録音機器は、
当該録音機器の姿勢を検出する姿勢検出部をさらに備え、
前記判定ステップは、
前記第１収音部が入力した音声の音量、前記第２収音部が入力した音声の音量および前記姿勢検出部が検出した前記姿勢に基づいて、当該録音機器の利用状況を判定し、
前記出力ステップは、
前記アドバイスに対応する情報を表示し、
前記アドバイスに対応する音声を出力することを特徴とするアドバイス出力方法。
【請求項９】
音声を入力して電気信号に変換する第１収音部と、前記第１収音部の収音軸と異なる方向に感度が高い収音軸を有し、音声を入力して電気信号に変換する第２収音部と、を備えた録音機器に、
前記第１収音部が入力した音声の音量および前記第２収音部が入力した音声の音量に基づいて、当該録音機器のユーザによる利用状況を判定する判定ステップと、
前記判定ステップの判定結果に基づいて、当該録音機器による音声入力のアドバイスを出力する出力ステップと、
を実行させ、
前記録音機器は、
当該録音機器の姿勢を検出する姿勢検出部をさらに備え、
前記判定ステップは、
前記第１収音部が入力した音声の音量、前記第２収音部が入力した音声の音量および前記姿勢検出部が検出した前記姿勢に基づいて、当該録音機器の利用状況を判定し、
前記出力ステップは、
前記アドバイスに対応する情報を表示し、
前記アドバイスに対応する音声を出力することを特徴とするプログラム。
【発明の詳細な説明】
【技術分野】
【０００１】
本発明は、音声データを録音または音声データを再生する録音機器、アドバイス出力方法およびプログラムに関する。
【背景技術】
【０００２】
近年、移動通信端末において、音響信号の入力のための主マイクとして使用される第１のマイクと、移動通信端末の外部に設けられた音響信号の入力のための補助マイクとして使用される第２のマイクとを用いて、音声通話時または録音時に周辺ノイズを除去することによって、高品質の音声通話または音声録音を行うことができる技術が知られている（特許文献１参照）。この技術では、移動通信端末に設けられたカバーがオープンしている場合、第１および第２のマイクの各々を駆動させて音声通話または音声録音を行う一方、移動通信端末に設けられたカバーがクローズしている場合、第２のマイクのみを駆動させて音声通話または音声録音を行う。
【先行技術文献】
【特許文献】
【０００３】
【特許文献１】特許第４８４７５９０号公報
【発明の概要】
【発明が解決しようとする課題】
【０００４】
しかしながら、上述した特許文献１の技術では、マイクの利用状況まで考慮されていないため、ユーザが所望する音源をイメージした通りに録音することができず、録音品質が低下するという問題点があった。
【０００５】
本発明は、上記に鑑みてなされたものであって、録音品質が低下することを防止することができる録音機器、アドバイス出力方法およびプログラムを提供することを目的とする。
【課題を解決するための手段】
【０００６】
上述した課題を解決し、目的を達成するために、本発明に係る録音機器は、音声を録音可能な録音機器であって、音声を入力して電気信号に変換する第１収音部と、前記第１収音部の収音軸と異なる方向に感度が高い収音軸を有し、音声を入力して電気信号に変換する第２収音部と、前記第１収音部が入力した音声の音量および前記第２収音部が入力した音声の音量に基づいて、当該録音機器のユーザによる利用状況を判定する判定部と、前記判定部の判定結果に基づいて、当該録音機器による音声入力のアドバイスを出力する出力部と、を備えたことを特徴とする。
【０００７】
また、本発明に係るアドバイス出力方法は、音声を入力して電気信号に変換する第１収音部と、前記第１収音部の収音軸と異なる方向に感度が高い収音軸を有し、音声を入力して電気信号に変換する第２収音部と、を備えた録音機器のアドバイス出力方法であって、
前記第１収音部が入力した音声の音量および前記第２収音部が入力した音声の音量に基づいて、当該録音機器のユーザによる利用状況を判定する判定ステップと、前記判定ステップの判定結果に基づいて、当該録音機器による音声入力のアドバイスを出力する出力ステップと、を含むことを特徴とする。
【０００８】
また、本発明に係るプログラムは、音声を入力して電気信号に変換する第１収音部と、前記第１収音部の収音軸と異なる方向に感度が高い収音軸を有し、音声を入力して電気信号に変換する第２収音部と、を備えた録音機器に、前記第１収音部が入力した音声の音量および前記第２収音部が入力した音声の音量に基づいて、当該録音機器のユーザによる利用状況を判定する判定ステップと、前記判定ステップの判定結果に基づいて、当該録音機器による音声入力のアドバイスを出力する出力ステップと、を実行させることを特徴とする。
【発明の効果】
【０００９】
本発明によれば、録音品質が低下することを防止することができるという効果を奏する。
【図面の簡単な説明】
【００１０】
【図１】図１は、本発明の一実施の形態に係る録音機器の概略構成を示す正面図である。
【図２】図２は、本発明の一実施の形態に係る録音機器の概略構成を示す側面図である。
【図３】図３は、本発明の一実施の形態に係る録音機器の機能構成を示すブロック図である。
【図４】図４は、本発明の一実施の形態に係る録音機器が実行する処理の概要を示すフローチャートである。
【図５】図５は、本発明の一実施の形態に係る録音機器の表示部が表示する複数のアイコンの一例を示す図である。
【図６】図６は、図４の第１ディクテーション処理の概要を示すフローチャートである。
【図７】図７は、ユーザが録音機器を用いて録音する際の状況を模式的に示す図である。
【図８】図８は、図７に示す状況下における手の位置を模式的に示す図である。
【図９】図９は、ユーザが録音機器の表示部を見ながら録音する際の状況を模式的に示す図である。
【図１０】図１０は、図９に示す状況下における手の位置を模式的に示す図である。
【図１１】図１１は、ユーザが録音機器を用いて電話する際の状況を模式的に示す図である。
【図１２】図１２は、図１１に示す状況下における手の位置を模式的に示す図である。
【図１３】図１３は、本発明の一実施の形態に係る録音機器の表示部が表示するアドバイスの一例を示す図である。
【図１４】図１４は、図４の電話処理の概要を示すフローチャートである。
【図１５】図１５は、本発明の一実施の形態に係る録音機器の表示部が表示するアイコンの一例を示す図である。
【図１６】図１６は、図４の検索処理の概要を示すフローチャートである。
【図１７】図１７は、本発明の一実施の形態に係る録音機器の表示部が表示する複数の患者情報の一例を示す図である。
【図１８】図１８は、本発明の一実施の形態に係る録音機器の表示部が表示する患者情報の一例を示す図である。
【図１９】図１９は、図１４または図１６の第２ディクテーション処理の概要を示すフローチャートである。
【図２０】図２０は、本発明の一実施の形態に係る録音機器の表示部が表示する音声指示情報の一例を示す図である。
【図２１】図２１は、本発明の一実施の形態に係る録音機器の表示部が表示する関連付け情報の一例を示す図である。
【発明を実施するための形態】
【００１１】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。即ち、本発明は、各図で例示された形状、大きさ、および位置関係のみに限定されるものではない。さらに、以下の説明では、音声記録再生装置の例として、無線通信によって通話を行えるとともに、音声を録音または再生可能な録音機器について説明する。
【００１２】
〔録音機器の構成〕
図１〜図３は、本発明の一実施の形態に係る録音機器の概略構成を示す正面図である。図２は、本発明の一実施の形態に係る録音機器の概略構成を示す側面図である。図３は、本発明の一実施の形態に係る録音機器の機能構成を示すブロック図である。
【００１３】
図１に示す録音機器１は、第１収音部１０と、第２収音部１１と、操作部１２と、記録部１３と、姿勢検出部１４と、通信部１５と、表示部１６と、タッチパネル１７と、音声再生部１８と、制御部１９と、を備える。
【００１４】
第１収音部１０は、制御部１９の制御のもと、音声を入力して電気信号に変換して制御部１９へ出力する。第１収音部１０は、録音機器１の上方（鉛直方向）に収音軸を持つ指向性を有する。第１収音部１０は、音声を入力してアナログの音声信号（電気信号）に変換するマイクと、マイクから出力される音声信号を所定のレベルまで増幅する増幅アンプと、増幅アンプが増幅した音声信号に対して、不要な周波数帯域をカットするローパスフィルタと、ローパスフィルタから出力された音声信号に対して、Ａ／Ｄ変換を行うことによってデジタルの音声信号（量子化データ）に変換して制御部１９へ出力するＡ／Ｄ変換部と、を用いて構成される。第１収音部１０は、後述する第２収音部１１と指向性が異なり、録音機器１の上方に対して指向性を有する。なお、本実施の形態では、第１収音部１０は、指向性マイクとして説明するが、これに限らず、単一指向性マイクであってもよく、さらに指向性を変更可能なマイクを用いてもよい。
【００１５】
第２収音部１１は、制御部１９の制御のもと、音声を入力して電気信号に変換して制御部１９へ出力する。第２収音部１１は、第１収音部１０の収音軸と異なる方向に感度が高い収音軸を有する。具体的には、第２収音部１１は、第１収音部１０と直交する面であって、表示部１６が設けられた方向（正面方向）に収音軸を持つ指向性を有する。第２収音部１１は、音声を入力してアナログの音声信号（電気信号）に変換するマイクと、マイクから出力される音声信号を所定のレベルまで増幅する増幅アンプと、増幅アンプが増幅した音声信号に対して、不要な周波数帯域をカットするローパスフィルタと、ローパスフィルタから出力された音声信号に対して、Ａ／Ｄ変換を行うことによってデジタルの音声信号（量子化データ）に変換して制御部１９へ出力するＡ／Ｄ変換部と、を用いて構成される。なお、本実施の形態では、第２収音部１１は、全指向性マイク（無指向性マイク）として説明するが、これに限らず、第１収音部１０の指向性と異なればよく、単一指向性マイクまたは指向性を変更可能なマイクを用いてもよい。
【００１６】
操作部１２は、録音機器１の各種決定の信号の入力を受け付ける。操作部１２は、例えばプッシュ式ボタンやスイッチ等を用いて構成される。なお、本実施の形態では、操作部１２は、録音機器１の側面に一箇所しか設けていないが、録音機器１の正面や背面に複数設けてもよい。
【００１７】
記録部１３は、制御部１９の制御のもと、録音機器１に関する各種情報、音声データおよび処理中のデータを記録する。記録部１３は、Ｆｌａｓｈメモリ、ＤＲＡＭ（Dynamic  Random  Access  Memory）およびメモリカード等を用いて構成される。また、記録部１３は、録音機器１が実行するプログラムを記録するプログラム記録部１３１と、複数の患者に関する患者情報を記録する患者情報記録部１３２と、を有する。
【００１８】
姿勢検出部１４は、録音機器１の姿勢を検出し、この検出結果を制御部１９に出力する。姿勢検出部１４は、録音機器１に生じる加速度を検出する加速度センサ、録音機器１の各軸（垂直方向（ｙ軸）、水平方向（ｘ軸）、および垂直方向と水平方向と直交する直交方向（ｚ軸））の傾きを検出するジャイロセンサ等を用いて構成される。
【００１９】
通信部１５は、制御部１９の制御のもと、所定の通信規格に従って、音声データを含む各種情報を送信する。通信部１５は、制御部１９から入力される音声データを所定のフォーマットに変換して外部へ送信する送信モジュール等を用いて構成される。なお、通信部１５は、Ｗｉ−Ｆｉ（登録商標）やブルートゥース（登録商標）の通信規格に従って通信可能な送信モジュールを用いて構成してもよい。
【００２０】
表示部１６は、制御部１９の制御のもと、録音機器１に関する各種情報を表示する。表示部１６は、有機ＥＬ（Electro  Luminescence）や液晶等を用いて構成される。
【００２１】
タッチパネル１７は、表示部１６の表示領域に重畳して設けられ、外部から接触する物体の位置（タッチ位置）を検出し、この位置に応じた位置信号を制御部１９へ出力する。
【００２２】
音声再生部１８は、制御部１９を介して入力される音声信号を出力する。音声再生部１８は、制御部１９から入力されるデジタルの音声信号をＤ／Ａ変換を行うことによって、アナログの音声信号に変換するＤ／Ａ変換部と、アナログの音声信号を所定のレベルまで増幅するアンプと、アンプが増幅した音声信号を出力するスピーカと、を用いて構成される。なお、本実施の形態１では、音声再生部１８および表示部１６が出力部として機能する。
【００２３】
制御部１９は、ＣＰＵ（Central  Processing  Unit）等を用いて構成され、録音機器１を構成する各部の動作を統括的に制御する。ここで、制御部１９の詳細な構成について説明する。
【００２４】
制御部１９は、判定部１９１と、ガイド制御部１９２と、通信制御部１９３と、生成部１９４と、検索部１９５と、関連付け部１９６と、を有する。
【００２５】
判定部１９１は、第１収音部１０が入力した音声の音量および第２収音部１１が入力した音声の音量に基づいて、ユーザによる録音機器１の利用状況を判定する。具体的には、判定部１９１は、ユーザが録音機器１によって音声の録音を行う場合、第１収音部１０が入力した音声の音量および第２収音部１１が入力した音声の音量に基づいて、ユーザが第１収音部１０を用いて録音を行っているか否かを判定する。さらに、判定部１９１は、第１収音部１０が入力した音声の音量、第２収音部１１が入力した音声の音量、姿勢検出部１４が検出した録音機器１の姿勢情報、タッチパネル１７から入力される位置信号に基づいて、録音機器１の利用情報、例えばユーザによる録音機器１の把持状態や録音時のユーザの状況を推定して判定する。
【００２６】
ガイド制御部１９２は、判定部１９１の判定結果に基づいて、録音機器１による音声入力のアドバイスの内容を変更する。具体的には、ガイド制御部１９２は、判定部１９１によって第２収音部１１を利用して音声を入力していると判定された場合、音声再生部１８に音声入力のアドバイスを出力させる一方、判定部１９１によって第２収音部１１を利用して音声を入力していないと判定された場合、表示部１６に音声入力のアドバイスを表示させる。より具体的には、ガイド制御部１９２は、判定部１９１によって第２収音部１１を利用して音声を入力していると判定された場合において、判定部１９１によってユーザが録音機器１を電話式の把持した状態で利用していると判定されたとき、音声入力のアドバイス、例えば第１収音部１０による音声の入力を指示する旨の情報、第１収音部１０までの距離情報、および録音機器１による音声の入力時の姿勢情報等を音声再生部１８に出力させる。また、ガイド制御部１９２は、判定部１９１によって第２収音部１１を利用して音声を入力していると判定された場合において、判定部１９１によってユーザが録音機器１を電話式の把持した状態で利用していないと判定されたとき、表示部１６に音声入力のアドバイスを表示させる。
【００２７】
通信制御部１９３は、通信部１５の通信を制御する。具体的には、通信制御部１９３は、録音機器１が通信部１５を介して外部の機器と通話する場合、第２収音部１１から入力された音声信号を所定のフォーマットに変換して外部へ伝送する。また、通信制御部１９３は、通信部１５を介して外部の電波の着信を逐次判定する。
【００２８】
生成部１９４は、第１収音部１０または第２収音部１１から入力された音声信号（電気信号）に所定の処理を施すことによって音声データに変換後、この音声データを格納した音声ファイルを生成して記録部１３に記録する。ここで、所定の処理とは、例えばＭＰ３等の所定のフォーマットに変換するフォーマット処理や、ゲインアップ処理やノイズ低減処理等である。
【００２９】
検索部１９５は、記録部１３の患者情報記録部１３２が記録する複数の患者情報からタッチパネル１７から入力される位置信号に対応する患者情報を検索する。また、検索部１９５は、通信部１５を介して外部のデータベースからタッチパネル１７から入力される位置信号に対応する患者情報を検索し、この検索した患者情報を外部のデータベースから取得してもよい。
【００３０】
関連付け部１９６は、生成部１９４が生成した音声ファイルと検索部１９５が検出した患者情報とを関連付けて記録部１３または外部のデータベースに記録する。
【００３１】
〔録音機器の処理〕
次に、録音機器１が実行する処理について説明する。図４は、録音機器１が実行する処理の概要を示すフローチャートである。
【００３２】
図４に示すように、まず、ガイド制御部１９２は、録音機器１が実行可能なプログラムに対応するアプリを示す複数のアイコンを表示部１６に一覧表示させる（ステップＳ１０１）。具体的には、図５に示すように、ガイド制御部１９２は、録音機器１が実行可能なプログラムに対応するアプリを示す複数のアイコンを表示部１６に一覧表示させる。音声アイコンＡ１は、音声による録音を指示する指示信号の入力を受け付ける。検索アイコンＡ２は、記録部１３に記録された複数の患者情報の検索を指示する指示信号の入力を受け付ける。電話アイコンＡ３は、外部との電話を指示する指示信号の入力を受け付ける。
【００３３】
続いて、表示部１６が表示する複数のアイコンからディクテーション（音声アイコンＡ１）が選択された場合（ステップＳ１０２：Ｙｅｓ）、録音機器１は、音声を記録して関連付けする第１ディクテーション処理を実行する（ステップＳ１０３）。なお、第１ディクテーション処理の詳細は、後述する。
【００３４】
その後、操作部１２が操作され、録音機器１の操作を終了する指示信号が入力された場合（ステップＳ１０４：Ｙｅｓ）、録音機器１は、本処理を終了する。これに対して、操作部１２が操作されず、録音機器１の操作を終了する指示信号が入力されていない場合（ステップＳ１０４：Ｎｏ）、録音機器１は、ステップＳ１０１へ戻る。
【００３５】
ステップＳ１０２において、表示部１６が表示する複数のアイコンからディクテーションが選択されていない場合（ステップＳ１０２：Ｎｏ）、録音機器１は、ステップＳ１０５へ移行する。
【００３６】
続いて、表示部１６が表示する複数のアイコンから電話（電話アイコンＡ３）が選択された場合（ステップＳ１０５：Ｙｅｓ）、録音機器１は、通信部１５を介して外部と電話を行う電話処理を実行する（ステップＳ１０６）。なお、電話処理の詳細は、後述する。ステップＳ１０６の後、録音機器１は、ステップＳ１０４へ移行する。
【００３７】
ステップＳ１０５において、表示部１６が表示する複数のアイコンから電話が選択されていない場合（ステップＳ１０５：Ｎｏ）、録音機器１は、ステップＳ１０７へ移行する。
【００３８】
続いて、表示部１６が表示する複数のアイコンから検索（検索アイコンＡ２）が選択された場合（ステップＳ１０７：Ｙｅｓ）、録音機器１は、記録部１３が記録する患者情報を検索する検索処理を実行する（ステップＳ１０８）。なお、検索処理の詳細は、後述する。ステップＳ１０８の後、録音機器１は、ステップＳ１０４へ移行する。
【００３９】
ステップＳ１０７において、表示部１６が表示する複数のアイコンから検索が選択されていない場合（ステップＳ１０７：Ｎｏ）、録音機器１は、ステップＳ１０９へ移行する。
【００４０】
続いて、録音機器１は、通信部１５を介して外部から受信する電話を判定する電話受信判定処理を実行する（ステップＳ１０９）。ステップＳ１０９の後、録音機器１は、ステップＳ１０４へ移行する。
【００４１】
〔第１ディクテーション処理〕
次に、図４のステップＳ１０３における第１ディクテーション処理の詳細について説明する。図６は、第１ディクテーション処理の概要を示すフローチャートである。
【００４２】
図６に示すように、まず、制御部１９は、第１収音部１０および第２収音部１１よる録音を開始させる（ステップＳ２０１）。
【００４３】
続いて、判定部１９１は、タッチパネル１７から入力される位置信号に基づいて、ユーザのタッチ位置を検出し（ステップＳ２０２）、姿勢検出部１４が検出した録音機器１の姿勢情報に基づいて、録音機器１の姿勢を検出する（ステップＳ２０３）。
【００４４】
その後、判定部１９１は、第１収音部１０から入力される音声信号の音量と第２収音部１１から入力される音声信号の音量とを比較する（ステップＳ２０４）。
【００４５】
判定部１９１は、ユーザが第２収音部１１を利用しているか否かを判定する（ステップＳ２０５）。具体的には、判定部１９１は、タッチパネル１７から入力される位置信号、姿勢検出部１４から入力される録音機器１の姿勢情報、第１収音部１０から入力される音声信号の音量および第２収音部１１から入力される音声信号の音量に基づいて、ユーザが第２収音部１１を利用しているか否かを判定する。
【００４６】
例えば、図７および図８に示すように、ユーザが録音機器１を斜めにした状態で第１収音部１０を用いて録音している場合において、録音機器１の姿勢が斜めに傾斜し、第２収音部１１から入力される音声信号の音量より第１収音部１０から入力される音声信号の音量が大きく、タッチパネル１７から入力される位置信号に対応するタッチ位置Ｔ１のとき（タッチ位置が表示部１６の中央領域のとき）、判定部１９１は、ユーザが第１収音部１０を利用していると判定する。即ち、判定部１９１は、図７に示す状況下において、ユーザが第２収音部１１を利用していないと判定する。
【００４７】
また、図９および図１０に示すように、ユーザが録音機器１を斜めにした状態で第２収音部１１を用いて録音している場合において、第２収音部１１から入力される音声信号の音量が第１収音部１０から入力される音声信号の音量より大きく、タッチパネル１７から入力される位置信号に対応するタッチ位置Ｔ２のとき（タッチ位置が表示部１６の下方領域のとき）、判定部１９１は、ユーザが第２収音部１１を利用していると判定する。
【００４８】
さらに、図１１および図１２に示すように、ユーザが録音機器１を斜めにした状態で第２収音部１１を用いて録音している場合において、第２収音部１１から入力される音声信号の音量が第１収音部１０から入力される音声信号の音量より大きく、タッチパネル１７から位置信号が入力されていないとき、判定部１９１は、ユーザが第２収音部１１を利用していると判定する。
【００４９】
判定部１９１によってユーザが第２収音部１１を利用していると判定された場合（ステップＳ２０５：Ｙｅｓ）、録音機器１は、後述するステップＳ２０６へ移行する。これに対して、判定部１９１によってユーザが第２収音部１１を利用していないと判定した場合（ステップＳ２０５：Ｎｏ）、録音機器１は、後述するステップＳ２０９へ移行する。
【００５０】
ステップＳ２０６において、判定部１９１は、録音機器１に対するユーザの把持が電話式把持であるか否かを判定する。具体的には、図１１に示すように、判定部１９１は、ユーザが電話式によって録音機器１を把持している場合、ユーザがタッチパネル１７における検出領域外の録音機器１の側面を把持するため、タッチパネル１７から位置信号が入力されないので、判定部１９１は、ユーザが電話式によって録音機器１を把持していると判定する。判定部１９１によって録音機器１に対するユーザの把持が電話式把持であると判定された場合（ステップＳ２０６：Ｙｅｓ）、録音機器１は、後述するステップＳ２０７へ移行する。これに対して、判定部１９１によって録音機器１に対するユーザの把持が電話式把持でないと判定された場合（ステップＳ２０６：Ｎｏ）、録音機器１は、後述するステップＳ２０８へ移行する。
【００５１】
ステップＳ２０７において、ガイド制御部１９２は、音声再生部１８に第１収音部１０を推奨する音声を出力させる。例えば、ガイド制御部１９２は、例えば「第１収音部を使用して下さい」のメッセージを音声再生部１８に出力させる。これにより、ユーザは、録音時に適したマイクを把握することができる。ステップＳ２０７の後、録音機器１は、後述するステップＳ２１０へ移行する。
【００５２】
ステップＳ２０８において、ガイド制御部１９２は、第１収音部１０を推奨する情報を表示部１６に表示させる。具体的には、図１３に示すように、ガイド制御部１９２は、第１収音部１０を推奨する旨の情報、例えば「第１収音部を使用して下さい」のメッセージＭ１を表示部１６に表示させるとともに、第２収音部１１の入力による音声の音量を示すレベルバーＢ１を表示部１６に表示させる。これにより、ユーザは、直感的に録音時に適したマイクを把握することができる。ステップＳ２０８の後、録音機器１は、後述するステップＳ２１０へ移行する。
【００５３】
ステップＳ２０９において、ガイド制御部１９２は、表示部１６を非表示させる。これにより、録音機器１の電力が消費されることを防止することができる。ステップＳ２０９の後、録音機器１は、ステップＳ２１０へ移行する。
【００５４】
続いて、操作部１２を介して録音終了操作があった場合（ステップＳ２１０：Ｙｅｓ）、制御部１９は、第１収音部１０または第２収音部１１による録音を終了させる（ステップＳ２１１）。
【００５５】
続いて、生成部１９４は、記録部１３に一時的に記録された音声データを所定のフォーマットに変換して音声ファイルを生成する（ステップＳ２１２）。
【００５６】
その後、関連付け部１９６は、生成部１９４が生成した音声ファイルと、他の患者情報との関連付けを行って記録部１３に記録する（ステップＳ２１３）。なお、関連付けの詳細は、後述する。また、関連付け部１９６は、音声ファイルに含まれる音声データに基づいて、この音声ファイルに関連付けるキーワードを抽出し、この抽出したキーワードと音声ファイルとを関連付けの行って記録部１３に記録してもよい。もちろん、関連付け部１９６は、生成部１９４が生成した音声ファイルに、他の情報を関連付けることなく、記録部１３に記録してもよい。ステップＳ２１３の後、録音機器１は、図４のメインルーチンへ戻る。
【００５７】
〔電話処理〕
次に、図４のステップＳ１０６における電話処理の詳細について説明する。図１４は、電話処理の概要を示すフローチャートである。
【００５８】
図１４に示すように、通信部１５を介して外部から電話（電波）を受信した場合（ステップＳ３０１：Ｙｅｓ）、ガイド制御部１９２は、選択用アイコンを表示部１６に表示させる（ステップＳ３０２）。具体的には、図１５に示すように、ガイド制御部１９２は、選択用アイコンＡ５を表示部１６に表示させる。また、ガイド制御部１９２は、外部から受信した電話の宛名に関するアイコンＡ４（Ｃさん）を表示部１６に表示させる。
【００５９】
続いて、表示部１６が表示する選択用アイコンをタッチする受信操作があった場合（ステップＳ３０３：Ｙｅｓ）、録音機器１は、後述するステップＳ３０４へ移行する。これに対して、表示部１６が表示する選択用アイコンをタッチする受信操作がなかった場合（ステップＳ３０３：Ｎｏ）、録音機器１は、ステップＳ３０２へ戻る。
【００６０】
ステップＳ３０４において、通信制御部１９３は、第２収音部１１によって通話可能に第２収音部１１を駆動する。これにより、ユーザは、外部の電話（Ｃさん）と通話を行うことができる。
【００６１】
続いて、ガイド制御部１９２は、表示部１６が表示する画像を非表示させる（ステップＳ３０５）。
【００６２】
その後、通話が終了した場合（ステップＳ３０６：Ｙｅｓ）、録音機器１は、後述するステップＳ３０７へ移行する。これに対して、通話が終了していない場合（ステップＳ３０６：Ｎｏ）、録音機器１は、ステップＳ３０４へ戻る。
【００６３】
続いて、表示部１６が表示する複数のアイコンからディクテーション（例えば、図１５の音声アイコンＡ１）が選択された場合（ステップＳ３０７：Ｙｅｓ）、録音機器１は、第２ディクテーション処理を実行する（ステップＳ３０８）。なお、第２ディクテーション処理の詳細は、後述する。ステップＳ３０８の後、録音機器１は、図４のメインルーチンへ戻る。
【００６４】
ステップＳ３０７において、表示部１６が表示する複数のアイコンからディクテーションが選択されていない場合（ステップＳ３０７：Ｎｏ）、録音機器１は、図４のメインルーチンへ戻る。
【００６５】
ステップＳ３０１において、通信部１５を介して外部から電話（電波）を受信していない場合（ステップＳ３０１：Ｎｏ）、通信制御部１９３は、通信部１５を介して外部の機器に対して電話（電波）を発し、受信された場合に第２収音部１１を駆動させて音声信号を外部へ送信する電話発信処理を実行する（ステップＳ３０９）。ステップＳ３０９の後、録音機器１は、図４のメインルーチンへ戻る。
【００６６】
〔検索処理〕
次に、図４のステップＳ１０８における検索処理の詳細について説明する。図１６は、検索処理の概要を示すフローチャートである。
【００６７】
図１６に示すように、まず、ガイド制御部１９２は、複数の選択用アイコンを表示部１６に表示させる（ステップＳ４０１）。具体的には、図１７に示すように、ガイド制御部１９２は、患者情報記録部１３２が記録する複数の患者情報それぞれに対応する複数の選択用アイコンＡ２１〜Ａ２３を表示部１６に表示させる。
【００６８】
続いて、表示部１６が表示する複数の選択用アイコンが選択された場合（ステップＳ４０２：Ｙｅｓ）、ガイド制御部１９２は、選択用アイコンに応じた指示情報およびアドバイス情報を表示部１６に表示させる（ステップＳ４０３）。具体的には、図１８に示すように、選択用アイコンＡ２３が選択された場合、ガイド制御部１９２は、選択用アイコンＡ２３の患者に関する情報Ａ３１（例えば、病状や血圧等の所見情報）および録音機器１による音声の入力をアドバイスするアドバイス情報Ａ３２を表示部１６に表示させる。これにより、ユーザは、Ｃに関する所見に関する意見を述べることができるとともに、高品質な録音を行うことができる。
【００６９】
その後、録音機器１は、第２ディクテーション処理を実行する（ステップＳ４０４）。なお、第２ディクテーション処理の詳細は、後述する。ステップＳ４０４の後、録音機器１は、図４のメインルーチンへ戻る。
【００７０】
ステップＳ４０２において、表示部１６が表示する複数の選択用アイコンが選択されていない場合（ステップＳ４０２：Ｎｏ）、録音機器１は、ステップＳ４０１へ戻る。
【００７１】
〔第２ディクテーション処理〕
次に、図１４のステップＳ３０８における第２ディクテーション処理および図１６のステップＳ４０４における第２ディクテーション処理の詳細について説明する。図１９は、第２ディクテーション処理の概要を示すフローチャートである。
【００７２】
図１９に示すように、まず、録音機器１が検索モードである場合（ステップＳ５０１：Ｙｅｓ）、録音機器１は、後述するステップＳ５０３へ移行する。これに対して、録音機器１が検索モードでない場合（ステップＳ５０１：Ｎｏ）、録音機器１は、後述するステップＳ５０２へ移行する。
【００７３】
ステップＳ５０２において、ガイド制御部１９２は、音声指示情報を音声再生部１８に再生させるとともに、アドバイス情報を表示部１６に表示させる。具体的には、図２０に示すように、ガイド制御部１９２は、音声指示情報として録音機器１のユーザに対して依頼コメントＡ４１を表示部１６に表示させる。さらに、ガイド制御部１９２は、音声のレベルＡ４３を表示部１６に表示させるとともに、録音アドバイスＡ４２および音声のレベルバーＢ１を表示部１６に表示させる。
【００７４】
続いて、操作部１２を介して録音開始操作があった場合（ステップＳ５０３：Ｙｅｓ）、制御部１９は、第１収音部１０および第２収音部１１による録音を開始させる（ステップＳ５０４）。
【００７５】
ステップＳ５０３において、操作部１２を介して録音開始操作がない場合（ステップＳ５０３：Ｎｏ）において、所定時間、例えば１０秒経過したとき（ステップＳ５０５：Ｙｅｓ）、録音機器１は、電話処理または検索処理のサブルーチンへ戻る。これに対して、操作部１２を介して録音開始操作がない場合（ステップＳ５０３：Ｎｏ）において、所定時間経過していない場合（ステップＳ５０５：Ｎｏ）、録音機器１は、ステップＳ５０３へ戻る。
【００７６】
ステップＳ５０６において、判定部１９１は、姿勢検出部１４が検出した録音機器１の姿勢情報に基づいて、録音機器１の姿勢を検出する。
【００７７】
続いて、判定部１９１は、第１収音部１０から入力される音声信号の音量と第２収音部１１から入力される音声信号の音量とを比較する（ステップＳ５０７）。
【００７８】
その後、判定部１９１は、ユーザが第２収音部１１を利用しているか否かを判定する（ステップＳ５０８）。具体的には、判定部１９１は、上述した図６のステップＳ２０５と同様の処理を行う。判定部１９１によってユーザが第２収音部１１を利用していると判定された場合（ステップＳ５０８：Ｙｅｓ）、録音機器１は、後述するステップＳ５１０へ移行する。これに対して、判定部１９１によってユーザが第２収音部１１を利用していないと判定された場合（ステップＳ５０８：Ｎｏ）、ガイド制御部１９２は、警告を表示部１６に表示させる（ステップＳ５０９）。ステップＳ５０９の後、録音機器１は、ステップＳ５０６へ戻る。
【００７９】
ステップＳ５１０において、ガイド制御部１９２は、患者に対する所見依頼情報を表示部１６に表示させる。
【００８０】
続いて、判定部１９１は、第２収音部１１から入力される音声信号の音量と、姿勢検出部１４の姿勢情報と、に基づいて、第２収音部１１の利用情報を判定する（ステップＳ５１１）。
【００８１】
その後、ガイド制御部１９２は、判定部１９１の判定結果に基づいて、第２収音部１１に対するアドバイスを表示部１６に表示させる（ステップＳ５１２）。
【００８２】
ステップＳ５１３〜ステップＳ５１５は、上述した図６のステップＳ２１０〜ステップＳ２１２それぞれに対応する。
【００８３】
ステップＳ５１６において、関連付け部１９６は、生成部１９４が生成した音声ファイルと患者情報とを関連付けて記録部１３に記録する。具体的には、図２１に示すように、関連付け部１９６は、タッチパネル１７から入力される位置信号に基づいて、生成部１９４が生成した音声ファイルと、この音声ファイルに関連付ける情報、例えば情報Ａおよび情報Ｂのどちらか一方とを関連付けて記録部１３に記録する。この場合、ガイド制御部１９２は、現在の録音機器１が関連付けモードであることを示すアイコンＡ５１を表示部１７に表示させる。さらに、関連付け部１９６は、タッチパネル１７を介して、選択アイコンＡ５２がタッチされ、患者アイコンＡ５４（Ａ）または患者アイコンＡ５５（Ｂ）が選択された後、終了アイコンＡ５３がタッチされるまで、音声ファイルとユーザによって選択された情報とを関連付ける。ステップＳ５１６の後、録音機器１は、上述した電話処理または検索処理のサブルーチンへ戻る。
【００８４】
以上説明した本発明の一実施の形態によれば、録音品質が低下することを防止することができる。
【００８５】
（その他の実施の形態）
本発明は上述した実施の形態に限定されるものではなく、本発明の要旨の範囲内で種々の変形や応用が可能なことは勿論である。例えば、本発明の説明に用いた録音機器以外にも、ＩＣレコーダ、撮像装置、携帯電話やスマートフォンにおける撮像素子を備えた携帯機器、ビデオカメラ、内視鏡、監視カメラ、顕微鏡のような光学機器を通して被写体を撮影する撮像装置等、音声を記録可能ないずれの機器にも適用できる。
【００８６】
また、本発明では、指向性マイクを例に説明したが、左右の真ん中を集音するマイク等を設け、各マイクに設定された指向性もトータルで加味した機器の集音指向性パターンを表示してもよい。もちろん、マイクの数は、２本に限定されることなく、単数または複数（例えば３本以上）であってもよい。
【００８７】
また、本明細書において、前述の各動作フローチャートの説明において、便宜上「まず」、「次に」、「続いて」、「その後」等を用いて動作を説明しているが、この順で動作を実施することが必須であることを意味するものではない。
【００８８】
また、上述した実施の形態における録音機器による各処理の手法、即ち、各フローチャートに示す処理は、いずれもＣＰＵ等の制御部に実行させることができるプログラムとして記憶させておくこともできる。この他、メモリカード（ＲＯＭカード、ＲＡＭカード等）、磁気ディスク（フロッピーディスク（登録商標）、ハードディスク等）、光ディスク（ＣＤ−ＲＯＭ、ＤＶＤ等）、半導体メモリ等の外部記憶装置の記憶媒体に格納して配布することができる。そして、ＣＰＵ等の制御部は、この外部記憶装置の記憶媒体に記憶されたプログラムを読み込み、この読み込んだプログラムによって動作が制御されることにより、上述した処理を実行することができる。
【００８９】
また、本発明は、上述した実施の形態および変形例そのままに限定されるものではなく、実施段階では、発明の要旨を逸脱しない範囲内で構成要素を変形して具体化することができる。また、上述した実施の形態に開示されている複数の構成要素を適宜組み合わせることによって、種々の発明を形成することができる。例えば、上述した実施の形態および変形例に記載した全構成要素からいくつかの構成要素を削除してもよい。さらに、各実施の形態および変形例で説明した構成要素を適宜組み合わせてもよい。
【００９０】
また、明細書または図面において、少なくとも一度、より広義または同義な異なる用語とともに記載された用語は、明細書または図面のいかなる箇所においても、その異なる用語に置き換えることができる。このように、発明の主旨を逸脱しない範囲内において種々の変形や応用が可能である。
【符号の説明】
【００９１】
１・・・録音機器；１０・・・第１収音部；１１・・・第２収音部；１２・・・操作部；１３・・・記録部；１４・・・姿勢検出部；１５・・・通信部；１６・・・表示部；１７・・・タッチパネル；１８・・・音声再生部；１９・・・制御部；１３１・・・プログラム記録部；１３２・・・患者情報記録部；１９１・・・判定部；１９２・・・ガイド制御部；１９３・・・通信制御部；１９４・・・生成部；１９５・・・検索部；１９６・・・関連付け部
【図１】
0006608254.tif 000002
【図２】
0006608254.tif 000003
【図３】
0006608254.tif 000004
【図４】
0006608254.tif 000005
【図５】
0006608254.tif 000006
【図６】
0006608254.tif 000007
【図７】
0006608254.tif 000008
【図８】
0006608254.tif 000009
【図９】
0006608254.tif 000010
【図１０】
0006608254.tif 000011
【図１１】
0006608254.tif 000012
【図１２】
0006608254.tif 000013
【図１３】
0006608254.tif 000014
【図１４】
0006608254.tif 000015
【図１５】
0006608254.tif 000016
【図１６】
0006608254.tif 000017
【図１７】
0006608254.tif 000018
【図１８】
0006608254.tif 000019
【図１９】
0006608254.tif 000020
【図２０】
0006608254.tif 000021
【図２１】
0006608254.tif 000022